(57)【要約】【課題】  従来の照明式表示装置は、光量が不足したり、明るさにムラがあったり、大型で重くコスト高となったりしていた。【解決手段】  照明式表示装置用表示板を、透光性基板の表面に標識が表示され、裏面に光反射部が設けられ、光反射部は裏面のうち表面の標識部分を除いた箇所に形成されたものとした。また、照明式表示装置を、前記表示板の裏面側に投射空間を挟んで光反射面又は他の表示板の光反射部（以下「光反射面等」とする。）を備え、投射空間の外側に光源を設け、表示板裏面の光反射部に照射された光は前記光反射面等に反射され、その光反射面等により表示板の裏面側に戻し反射されて表示板の標識を照明するようにした。照明式表示装置は、表示板、光源、散乱板を所望形状のフレームに取り付けて独立型としたり、或は建物内外のドア、壁等の部材に組み込んで部材内蔵型としたりすることもできる。【選択図】図５
2008139511.tif 000002
【特許請求の範囲】
【請求項１】
表示板に表示された標識を表示板の裏面側から光照射する照明式表示装置用表示板において、表示板は透光性基板の表面に標識が表示され、裏面に光反射部が設けられ、光反射部は裏面のうち表面の標識部分を除いた箇所に形成されたことを特徴とする照明式表示装置用表示板。
【請求項２】
表示板に表示された標識を表示板の裏面側から光照射する照明式表示装置において、表示板が請求項１記載の照明式表示装置用表示板であり、表示板の裏面側に投射空間を挟んで光反射面が設けられ、投射空間の外側に光源が設けられ、その光源から投射空間に投射された光が表示板の裏面に照射されて前記標識を照明し、表示板裏面の光反射部で反射された光は前記光反射面側に反射され、その光反射面により表示板の裏面側に戻し反射されて表示板の標識を照明することを特徴とする照明式表示装置。
【請求項３】
表示板に表示された標識を表示板の裏面側から光照射する照明式表示装置において、表示板が請求項１記載の照明式表示装置用表示板であり、その表示板二枚が光反射部を対向させて投射空間を挟んで配置され、投射空間の外側に光源を備え、その光源から投射空間に投射された光が前記両表示板の裏面に照射されて夫々の表示板の標識を照明し、夫々の表示板の裏面の光反射部に照射された光は対向する他方の表示板側に反射されるようにしたことを特徴とする照明式表示装置。
【請求項４】
表示板に表示された標識を表示板の裏面側から光照射する照明式表示装置において、表示板が請求項１記載の照明式表示装置用表示板であり、表示板の裏面側に散乱板又は拡散板が配置され、散乱板又は拡散板の裏面側に投射空間を挟んで光反射面が設けられ、投射空間の外側に光源が設けられ、その光源から投射空間に投射されて散乱板で散乱された光又は拡散板で拡散された光が表示板の裏面に照射されて前記標識を照明し、表示板の裏面の光反射部で反射された光は前記散乱板又は拡散板を透過して前記光反射面側に反射され、その光反射面により散乱板又は拡散板及び表示板側に戻し反射され、散乱板で散乱されて又は拡散板で拡散されて表示板の標識を照明することを特徴とする照明式表示装置。
【請求項５】
表示板に表示された標識を表示板の裏面側から照射する光で照明する照明式表示装置において、表示板が請求項１記載の照明式表示装置用表示板であり、前記表示板とその裏面に配置した散乱板又は拡散板とを一組とし、二組の表示板及び散乱板又は拡散板を散乱板又は拡散板が投射空間を挟んで対向するように配置し、投射空間の外側に光源を備え、その光源から投射空間に投射されて前記両散乱板で散乱した光又は拡散板で拡散した光が前記両表示板の裏面に照射されて夫々の表示板の標識を照明し、夫々の表示板の裏面の光反射部に照射された光は前記散乱板又は拡散板を透過して対向する他方の散乱板又は拡散板及び表示板側に反射されるようにしたことを特徴とする照明式表示装置。
【請求項６】
請求項２ないし請求項５のいずれかに記載の照明式表示装置において、表示板と光源と光反射面、又は表示板及び散乱板又は拡散板と光源と光反射面、又は二枚の表示板と光源、又は二組の表示板及び散乱板又は拡散板と光源を、所望形状のフレームに取り付けて独立型とし、或は建物内外の部材に組み込んで部材内蔵型としたことを特徴とする照明式表示装置。
【発明の詳細な説明】
【技術分野】
【０００１】
本発明の表示板は照明式看板や案内板、例えば、広告・宣伝用看板や案内看板、建物内の非常口標識、ドアサイン、チャンネル文字、エレベータの階数表示盤等に使用可能なものであり、本発明の照明式表示装置はその表示板を使用した照明式表示装置である。
【背景技術】
【０００２】
アクリル板、ガラス板等の表示板に表示された文字、模様等の標識を裏面から光照射する照明式表示装置は従来から各種あり、両面照明型と片面照明型がある。それら表示板は表面に広告・宣伝用や案内用の文字、図形、地図、写真等の標識が表示されており、その標識を明るく照明するために表示板の裏面から光照射している。この場合、照明効率を上げるために、従来は図１４に示すように、方形の枠Ａの内側に配置した表示板Ｂの内側に二枚の導光板Ｃを背中合わせにして配置し、枠Ａの内側で導光板Ｃの外周にＬＥＤ（光源）Ｄを配置した照明式表示装置がある。前記導光板Ｃはアクリル製やガラス製の基板の外側面にＶ字型の散乱溝Ｅが格子状に形成されたものである。この照明式表示装置ではＬＥＤ（光源）Ｄからの光を夫々の導光板Ｃに照射すると、その光が導光板Ｃ内を透過する間に散乱溝Ｅで散乱して表示板Ｂの裏面を照射し、表示板Ｂの表面の標識が明るく照明される。表示板Ｂは板状のものに限らずフィルム状のものの場合もある。
【発明の開示】
【発明が解決しようとする課題】
【０００３】
図１４に示す従来の照明式表示装置は次のような課題がある。
（１）光源Ｄからの光が導光板Ｃ内を透過するため、光量が導光板Ｃ内で減衰し、照明が不足しがちであり、それを補うために高出力の光源が必要になり、コスト高を招き、消費電力も多くなり、ランニングコストも高くなる。
（２）導光板Ｃは一般に８ｍｍ〜１０ｍｍと厚く、重いため、それを使用した照明式表示装置も厚く、重くなり、扱いにくくなる。特に、両面照明式の場合は導光板Ｃが二枚になるため一層厚くなり重くなる。
（３）導光板Ｃは高価であるため照明式表示装置もコスト高となる。
【課題を解決するための手段】
【０００４】
本発明は、光を乱反射又は／及び散乱させて、少ない光量で効率良く標識を照明でき、しかも、薄型、軽量、安価な表示板とそれを用いた照明式表示装置を提供するものである。
【０００５】
本件出願の請求項１記載の表示板は、表示板に表示された標識を表示板の裏面側から光照射する照明式表示装置用表示板であり、表示板は透光性基板の表面に標識が表示され、裏面に光反射部が設けられ、光反射部は裏面のうち表面の標識部分の全部又は一部を除いた箇所に形成されている。
【０００６】
本件出願の請求項２記載の照明式表示装置は、表示板に表示された標識を表示板の裏面側から光照射する照明式表示装置において、表示板が前記照明式表示装置用表示板であり、表示板の裏面側に投射空間を挟んで光反射面が設けられ、投射空間の外側に光源が設けられ、その光源から投射空間に投射された光が表示板の裏面に照射されて前記標識が照明され、表示板裏面の光反射部で反射された光は前記光反射面側に反射され、その光反射面により表示板の裏面側に戻し反射されて表示板の標識を照明できるようにした。
【０００７】
本件出願の請求項３記載の照明式表示装置は、表示板に表示された標識を表示板の裏面側から光照射する照明式表示装置において、表示板が前記照明式表示装置用表示板であり、その表示板二枚が光反射部を対向させて投射空間を挟んで配置され、投射空間の外側に光源を備え、その光源から投射空間に投射された光が前記両表示板の裏面に照射されて夫々の表示板の標識を照明し、夫々の表示板裏面の光反射部に照射された光は対向する他方の表示板側に反射されるようにした。
【０００８】
本件出願の請求項４記載の照明式表示装置は、表示板に表示された標識を表示板の裏面側から光照射する照明式表示装置において、表示板が請求項１記載の照明式表示装置用表示板であり、表示板の裏面側に散乱板又は拡散板が配置され、散乱板又は拡散板の裏面側に投射空間を挟んで光反射面が設けられ、投射空間の外側に光源が設けられ、その光源から投射空間に投射されて散乱板で散乱された光又は拡散板で拡散された光が表示板の裏面に照射されて前記標識を照明し、表示板の裏面の光反射部で反射された光は前記散乱板又は拡散板を透過して前記光反射面側に反射され、その光反射面により散乱板又は拡散板及び表示板側に戻し反射され、散乱板で散乱されて又は拡散板で拡散されて表示板の標識が照明されるようにした。
【０００９】
本件出願の請求項５記載の照明式表示装置は、表示板に表示された標識を表示板の裏面側から照射する光で照明する照明式表示装置において、表示板が請求項１記載の照明式表示装置用表示板であり、前記表示板とその裏面に配置した散乱板又は拡散板とを一組とし、二組の表示板及び散乱板又は拡散板を散乱板又は拡散板が投射空間を挟んで対向するように配置し、投射空間の外側に光源を備え、その光源から投射空間に投射されて前記両散乱板で散乱した光又は拡散板で拡散した光が前記両表示板の裏面に照射されて夫々の表示板の標識を照明し、夫々の表示板の裏面の光反射部に照射された光は前記散乱板又は拡散板を透過して対向する他方の散乱板又は拡散板及び表示板側に反射されるようにした。
【００１０】
本件出願の請求項６記載の照明式表示装置は、請求項２ないし請求項５のいずれかに記載の照明式表示装置において、表示板と光源と光反射面、又は表示板及び散乱板又は拡散板と光源と光反射面、又は二枚の表示板と光源、又は二組の表示板及び散乱板又は拡散板と光源を、所望形状のフレームに取り付けて独立型とし、或は建物内外の部材に組み込んで部材内蔵型とした。
【発明の効果】
【００１１】
本件出願の請求項１記載の表示板は次のような効果がある。
（１）透光性基板の裏面に光反射部を備えているため、その裏面後方に別の反射体を配置しておけば、光反射部で後方に反射された光が前記別の反射体で戻し反射されて透光性基板に照射され、照明効率が向上する。このため出力の小さい光源でも表示板の標識を明るく照明することができ、高出力の光源を必要とせず、消費電力も少なくてすむ。
（２）光反射部は表示板裏面のうち、表示板の表面に表示されている標識を除いた部分にしか設けてないため、表示板の裏面から標識部分に照射される光は光反射部で反射されずに表示板の表面に透過するため、標識部分は明るく照明される。
【００１２】
本件出願の請求項２記載の照明式表示装置は、請求項１記載の表示板の裏面側に投射空間を挟んで光反射面を設け、投射空間の外側に光源を設けたため、次のような効果がある。
（１）光源から投射空間を通して表示板裏面に照射された光は光反射部で反射され、投射空間を挟んで設けた光反射面により表示板の裏面側に戻し反射されて表示板に照射されるので効率の良い光照射ができ、出力の小さい光源であっても標識を明るく照明することができる。
（２）表示板の裏面側に設けた投射空間の側方に光源を設けたため、光源からの光が投射空間を通して表示板又は散乱板全般に入射し、表示板全体がほぼ均一に照明され、照明むらが発生しにくい。また、両面型表示装置であっても両面の表示板用に二つの光源を設ける必要が無いため構造が簡潔になり、コストの低減が可能となる。また、薄型化も可能であるため、壁面などに内蔵することもできる。
（３）表示板の裏面側又は表示板の裏面に配置した散乱板の裏面側に投射空間があるため、表示板の裏面側に肉厚の導光板を設ける従前の照明式表示装置に比して軽量になる。
【００１３】
本件出願の請求項３記載の照明式表示装置は、請求項１記載の表示板を二枚使用し、二枚の表示板の光反射部のある裏面を投射空間を挟んで対向させ、投射空間の外側に光源を設けたので、光源から投射空間に投射された光で二枚の表示板の裏面から夫々の表示板の標識が照明され、更に、夫々の表示板裏面の光反射部で反射された光が対向する他方の表示板の光反射部で戻り反射して他方の表示板の標識を照明するので、照明効率が向上する。
【００１４】
本件出願の請求項４記載の照明式表示装置は、表示板の裏面側に散乱板又は拡散板を配置し、その裏面側の投射空間の外側に光源を設けたので、光源からの光が散乱板で散乱されて又は拡散板で拡散されて、表示板の標識が効率よく照明される。
【００１５】
本件出願の請求項５記載の照明式表示装置は、請求項１記載の表示板を二枚使用し、夫々の表示板の裏面に散乱板又は拡散板を配置して一組とし、二組の表示板及び散乱板又は拡散板を、散乱板又は拡散板が投射空間を挟んで対向するように配置し、投射空間の外側に光源を備えたので、光源から投射空間に投射された光は、夫々の両散乱で散乱して又は拡散板で拡散して、夫々の表示板の標識を照明するので、両表示板の標識が同じ明るさで照明される。
【００１６】
本件出願の請求項６記載の照明式表示装置は、表示板、散乱板又は拡散板、光源、光反射面等をフレームに取り付けて独立型とし、又は、建物内外の部材に組み込んで部材内蔵型としたので、上記効果に加えて次のような効果がある。
（１）独立型とした場合は、室内外の所望箇所に設置して広告・宣伝用看板として使用するとか、室内のドアの上や横の壁に取付けてドアサインや出口表示としたり、室内の廊下や非常階段の近くに取り付けて誘導用や非常階段サインとして使用したり、氏名や役職名などを表示した卓上看板としたりすることができる。
（２）室内の壁、床、天井、窓、エレベータ等々に内蔵して部材内蔵型とした場合は、照明式表示装置がドアや壁面の外側に突出しないため体裁がよく、邪魔にもならない。また、照明式表示装置が薄型であるため建物内外の部材に組み込んでもそれら部材が格別厚くならず標準仕様にすることができる。
【発明を実施するための最良の形態】
【００１７】
（照明式表示装置用表示板の実施形態１）
本発明の照明式表示装置用表示板（以下「表示板」と記す。）の実施形態の一例を図１に基づいて説明する。この表示板１は裏面側から光照射することによって標識を照明する照明式表示装置用表示板であって、図１（ａ）に示すように、透光性のある基板２の表面に標識３が表示され、図１（ｂ）に示すように裏面に光反射部４が設けられている。
【００１８】
前記基板２の形状、厚さ、サイズ、材質、色等は任意に選択できるが、この実施形態では乳白色のアクリル樹脂製板が使用され、形状が四角形、厚さ２ｍｍ〜５ｍｍ程度である。基板２の表面には図１（ａ、ｂ）に示すように化粧室を示す男性、女性の図柄５及び文字６等の標識３を印刷してある。印刷は透光性塗料又は非透光性塗料によって行い、カラー印刷、白黒印刷のいずれも可能である。
【００１９】
前記光反射部４は照射された光を反射するものであり、この光反射部４は基板２の標識３と同じ形状に切り抜かれたシート状の反射材８を貼り付けて形成されている。反射材８は標識３に対応する部分が切り抜かれていれば切り抜き形状は標識３と全く同じ形状、サイズである必要はなく、標識３の一部の形状を切り抜いたものとか、任意の形状、サイズにすることができる。反射材８には光を反射するが透過はしないホワイトフィルムや金属フィルム等を用いることができる。反射材８はシートに限らずそれよりも薄いフィルムや厚い板材（反射板）等であってもよい。光反射部４は基板２に反射材８を貼ったり重ねたりしたものではなく、基板２の裏面に光反射塗料を塗布したり、吹き付けたりしたものであってもよい。
【００２０】
（照明式表示装置用表示板の実施形態２）
本発明の表示板の実施形態の他の例を図２に基づいて説明する。この表示板１は図柄５や文字６等を切り抜いた非透光性のシート７を基板２の表面に貼り付けて、切り抜かれた図柄５や文字６等を標識３としてある。切り抜かれた標識３部分の表面には標識３の形状をした透光性の着色シートを貼りつけて標識３が裏面から照射される光で着色照明されるようにしてある。この標識３も一例であって、本発明の標識３はこれに限られず任意の図形、文字、記号等とすることができ、シート７を写真、絵画等とすることもできる。前記切り抜き図柄５や文字６等には着色シートを貼りつけなくともよい。基板２の裏面（背面）には光反射部４が形成されている。この光反射部４は図１の光反射部４と同じようにシート状の反射材８を貼り付けたり、光反射塗料を塗布したりして形成されている。
【００２１】
（照明式表示装置用表示板の実施形態３）
図２の表示板１においては、シート７に代えて、図柄５や文字６等を切り抜いた非透光性の標識板９を備えることも可能である。標識板９の裏面には切り抜いた標識３の形状と同じ形状に切り抜いた透光性の着色シートや非透光性シートを貼りつけて、標識板９の裏面から照射される光が標識３の外側からは透過せず、切り抜かれている標識３部分から透過して標識３部分が明るく照明されるようにすることができる。標識板９は基板２と同じ形状、サイズの四角形で、厚さ１ｍｍ〜２ｍｍ程度であるが、その形状、厚さ、サイズ、材質、色等は任意に選択できる。標識板９には非透光性の金属板や透光しにくい着色樹脂板等が使用される。この標識板９は、基板２の表面に予め貼付けておいたり、脱着自在としたりすることもできる。
【００２２】
（照明式表示装置用表示板の実施形態４）
図１、図２の表示板１は平板状の基板２を使用してあるが、表示板１の基板２に図３（ａ、ｂ）に示すようなプリズム板（散乱板）１６を使用することができる。散乱板１６は四角形の透光板の片面全般にプリズム形状の凹凸（プリズム）が縦横に規則的に多数列形成されてプリズム面２０が形成され、他面が平滑面としてある。本発明の表示板１はこの散乱板１６の平滑面に標識３を直接印刷するとか、標識３部分を切り抜いたシート７やフィルムを貼り付けたり、標識板９を備えるなどし、プリズム面２０を反射面兼散乱面にしたものでもよい。この場合、基板２（散乱板１６）の平滑面に備えるシート７やフィルム、標識板９には裏面が反射面であるものを使用することも、その面に反射材を塗布することもできる。前者の場合は基板２の標識３に対応する部分は切り抜いておき、後者の場合は標識３に対応する部分には塗布せずに、標識３に光が照射されるようにしておく。散乱板１６の透光板はアクリル、ガラス等であることが光透過率の点から望ましいが他の材質製であってもよい。散乱板１６は透明であっても着色した半透明のものであってもよい。図３（ａ、ｂ）に示す散乱板１６に代えて、拡散板（図示しない）を用いることもできる。拡散板は、ガラス内に乳白色の光拡散物質を分散して形成したものや、ガラス基板の片面を擦りガラス（砂面）にしたもの等、任意の構造のものを用いることができる。また、拡散板は、青色、白色いずれを用いることもできる。
【００２３】
（照明式表示装置の実施形態１）
本発明の照明式表示装置の実施形態の一例を図４〜図６に基づいて説明する。これら図の照明式表示装置は周枠１５の片面側にのみ表示板１を設けた片面照明型看板である。この照明式表示装置は図５に示す四角形で断面がコ字形である周枠１５の内側空間部内に四角形のフレーム１１が配置され、周枠１５がフレーム１１にビス等の止め具で固定されており、その周枠１５とフレーム１１の表面側の間に表示板１が、周枠１５とフレーム１１の裏面側の間に裏板２７が夫々配置され、それら表示板１、裏板２７の外周縁部がフレーム１１と周枠１５との間の空間に挟着固定されている。前記周枠１５、フレーム１１、裏板２７は金属製、樹脂製、木製等任意の材料製とすることができる。
【００２４】
前記表示板１には図１（ａ、ｂ）に示す表示板が使用されており、表面に標識３が、裏面に光反射部４が夫々形成されている。前記裏板２７（図５、図６）の内面は光反射面２９としてあり、そのために裏板２７の内面に反射材２８（図５）を貼り付けたり、光反射塗料が塗布されたりしている。反射材２８には例えばホワイトフィルムや光反射性のある金属フィルム、シートや板状の反射板等が使用される。
【００２５】
図５、図６に示すように、対向する表示板１の裏面と、裏板２７の裏面との間に投射空間１７が形成され、その投射空間１７の外周を囲むフレーム１１の四辺の内周面に光源モジュール１９が取り付けられている。光源モジュール１９は細長基板１８に多数のＬＥＤ（光源）１２が一定間隔で取付けられており、光源１２から出射される光が投射空間１７内に投射されるようにしてある。
【００２６】
図４〜図６の照明式表示装置では、光源１２からの光が投射空間１７に投射されて表示板１の裏面に照射され、表示板１に照射された光のうち標識３部分に照射された光で標識３が照明され、標識３の外周の光反射部４に照射された光は対向する光反射面２９側に反射され、その光反射面２９により表示板１側に戻し反射されて表示板１の標識３を明るく照明する。
【００２７】
この実施形態の照明式表示装置は建物の室内や室外に取り付けて照明式看板として使用したり、図６に示すように周枠１５の底面に支持脚２６を取り付けて立て看板や卓上看板として使用したりすることもできる。
【００２８】
（照明式表示装置の実施形態２）
本発明の照明式表示装置の実施形態の他の一例を図７に基づいて説明する。図７の照明式表示装置は看板のフレーム１１の表裏両面に配置した表示板１を、両表示板１の裏面側から光で照明する両面照明型看板であり、基本的な構成は図４〜図６記載の片面照明型看板のものと同じであり、異なるのは図４〜図６の照明式表示装置の裏側面の裏板２７に代えて、表面と同様の表示板１が配置固定されたことである。この場合、対向する二枚の表示板１の裏側の光反射部４の間に投射空間１７が形成され、投射空間１７の外周のフレーム１１の四辺内周面に光源モジュール１９が取り付けられている。
【００２９】
図７の照明式表示装置では光源モジュール１９の光源１２から出射された光が投射空間１７に投射されて対向する二枚の表示板１の裏面に照射され、各表示板１に照射された光のうち標識３部分に照射された光は標識３部分を照明し、光反射部４に照射された光は対向する他方の表示板１側に反射され、その表示板１の裏面の光反射部４から他方の表示板１側に戻り反射される。
【００３０】
（照明式表示装置の実施形態３）
本発明の照明式表示装置の実施形態の他の一例を図８に基づいて説明する。この照明式表示装置は片面照明型看板であり、その基本的構成は図４〜図６記載の片面照明型看板のものと同じであり、異なるのは図４〜図６の照明式表示装置の表示板１の内側（裏側）に散乱板１６を重ねて配置固定したことである。これにより、散乱板１６とそれと対向する裏板２７の光反射面２９との間に投射空間１７が形成され、光源１２から出射される光が投射空間１７内に投射されるようにしてある。
【００３１】
前記散乱板１６には図３（ａ、ｂ）に示す散乱板１６が使用されており、一面が平滑面、他面が全面に多数のプリズムが形成されたプリズム面２０であり、散乱板１６に照射或いは入射された光が散乱板１６のプリズム面２０で全方向に散乱されて散乱板１６の全般に散乱され、その散乱光が散乱板１６の全面からほぼ均一に出射されるようにしてある。図３（ａ、ｂ）に示す散乱板１６は２ｍｍ〜５ｍｍ程度の厚さであるが、照明式表示装置の薄型化の面からはそれよりも薄いものが好ましい。図８では散乱板１６のプリズム面２０を投射空間１７側に向けて配置して、光源１２から投射空間１７に投射された光がプリズム面２０で散乱されるようにしてあるが、場合によってはそれとは反対にプリズム面２０を表示板１側に向けて配置することもできる。図３（ａ、ｂ）に示す散乱板１６に代えて、拡散板（図示しない）を用いることもできる。拡散板は、ガラス内に乳白色の光拡散物質を分散して形成したものや、ガラス基板の片面を擦りガラス（砂面）にしたもの等、任意の構造のものを用いることができる。また、拡散板は、青色、白色いずれを用いることもできる。
【００３２】
図８の照明式表示装置では、光源１２から投射空間１７に投射された光は散乱板１６でその全面に散乱され、散乱板１６を透過した光で表示板１の裏面が照射され、表示板１に照射された光のうち標識３部分に照射された光が標識３部分から表に出射して表示板１の標識３を照明し、光反射部４に照射された光は散乱板１６を透過して対向する裏板２７の内面の光反射面２９側に反射され、光反射面２９により散乱板１６及び表示板１側に戻し反射され、その光が散乱板１６で散乱されて表示板１の標識３を照明することとなる。
【００３３】
（照明式表示装置の実施形態４）
本発明の照明式表示装置の実施形態の他の一例を図９に基づいて説明する。図９の照明式表示装置は両面照明型看板であり、その基本的構成は図７記載の両面照明型看板と同じであり、異なるのは図７の照明式表示装置の二枚の表示板１の夫々の内側に散乱板１６が重ねて配置固定されたことである。前記散乱板１６には前記実施形態３の散乱板１６（図３（ａ、ｂ）に示す散乱板）が使用されている。
【００３４】
図９の照明式表示装置では、光源１２から投射空間１７に投射された光が散乱板１６で散乱されてその全面に散乱され、散乱板１６を透過した光で表示板１の裏面全面が照射され、表示板１に照射された光のうち、標識３部分に照射された光は標識３部分から表に出射して表示板１の標識３が照明され、光反射部４に照射された光は散乱板１６を透過して対向する他方の散乱板１６及び表示板１側に反射される。
【００３５】
（照明式表示装置の実施形態５）
前記各実施形態の照明式表示装置のフレーム１１は方形であるが、フレーム１１の形状は他の形状、例えば円形、アルファベットや漢字や数字等の文字形、星形、記号形等の所望形状にすることができる。その場合、光源モジュール１９、表示板１、標識板９、散乱板１６、周枠１５、裏板２７等の照明式表示装置の各部品もフレーム１１の形状に合った形状にする。
【００３６】
（照明式表示装置の実施形態６）
前記した実施形態はいずれも光源１２、表示板１等をフレーム１１に装備し、それらの周囲を周枠１５により被覆して独立した看板型式にし、そのまま室外、室内、卓上等に設置可能としてあるが、本発明の照明式表示装置は光源モジュール１９、表示板１等を室外のドア、室内の壁、エレベータの内外の部材３０に組み込んで部材内蔵型とすることもできる。図１０は部材内蔵型照明式表示装置の一例として、光源モジュール１９、表示板１等を建物の部材（壁）３０の開口部内に内蔵した例であり、図１１は前記部材（ドア）３０の表裏面に貫通した開口部内に内蔵した例である。図１０の場合は表示板１が部材３０の表面のみにしかないため片面型照明式表示装置となり、図１１の場合は表示板１が部材３０の表裏両面にあるため両面型照明式表示装置となる。
【００３７】
これら部材内蔵型の照明式表示装置の場合は、光源１２、表示板１等が装備されたフレーム１１を部材３０内に内蔵することもできるが、フレーム１１を使用せずに光源１２、表示板１等を部材３０に直接装備することもできる。図１０の場合は、部材（壁）３０の一部を切除した収容空間３１を形成し、その収容空間３１の内面上壁３２と内面下壁３３に光源モジュール１９を直接取り付け、その収容空間の奥壁３４に反射材２８を配置して光反射面２９とし、収容空間３１の表面開口部に表示板１を配置してある。図１１の場合は、部材（ドア）３０の一部を厚さ方向（表裏両面）に貫通させて収容空間３１を開口し、その収容空間３１の内面上壁３２と内面下壁３３に対向させて光源モジュール１９を直接取り付け、その両外側に表示板１を夫々配置してある。
【００３８】
両面型、片面型のいずれの場合も、図１２、図１３に示すように、独立看板式の場合と同様に散乱板１６を表示板１の裏面側に重ねて備えることも可能である。散乱板１６には図３（ａ、ｂ）に示す散乱板１６が使用される。
【００３９】
（照明式表示装置のその他の実施形態）
用いる表示板１は図１に示すものには限られず、前記図２、図３に示すものとする等、透光性基板２（散乱板１６）の表面に標識３が表示され、裏面に光反射部４が設けられたものであれば任意の表示板１とすることができる。
【００４０】
光源モジュール１９は、フレーム１１の四辺の内周面には限られず、フレーム１１の対向する二辺の内側面にのみ備えることも可能である。また、光源（ＬＥＤ）は基板ではなくテープに取付けてモジュール化することもできる。また、ＬＥＤはモジュールとせずに一個ずつ個別にフレーム１１に取り付けることもできる。ＬＥＤの取付け数、間隔、発光色などは任意に選択することができ、二以上の発光色を組合せて取付けることもできる。また、光源用の電源も、商用電源、乾電池、太陽電池等、任意のものを用いることができる。
【産業上の利用可能性】
【００４１】
本発明の照明式表示装置は、広告・宣伝用看板や案内看板、氏名・役職等を表示する卓上看板、非常口表示やドアサイン等の標識、エレベータの階数表示ボタン等の埋設式の表示装置等、表示装置として広く応用することができる。
【図面の簡単な説明】
【００４２】
【図１】（ａ）は、本発明の照明式表示装置用表示板の実施形態の一例を示す斜視図。（ｂ）は（ａ）に示す照明式表示装置用表示板の裏面を示す斜視図。
【図２】本発明の照明式表示装置用表示板の実施形態の他の一例を示す斜視図。
【図３】（ａ）は、本発明の照明式表示装置用表示板の実施形態の他の一例を示す斜視図。（ｂ）は（ａ）に示す照明式表示装置用表示板の裏面を示す斜視図。
【図４】本発明の照明式表示装置の実施形態の一例（片面看板型）を示す斜視図。
【図５】図４に示す照明式表示装置の分解斜視図。
【図６】図４に示す照明式表示装置の断面図。
【図７】本発明の照明式表示装置の実施形態の他の一例（両面看板型）を示す断面図。
【図８】本発明の照明式表示装置の実施形態の他の一例（片面看板型・散乱板入り）を示す断面図。
【図９】本発明の照明式表示装置の実施形態の他の一例（両面看板型・散乱板入り）を示す断面図。
【図１０】本発明の照明式表示装置の実施形態の他の一例（部材内蔵式・片面型）を示す断面図。
【図１１】本発明の照明式表示装置の実施形態の他の一例（部材内蔵式・両面型）を示す断面図。
【図１２】本発明の照明式表示装置の実施形態の他の一例（部材内蔵式・片面型・散乱板入り）を示す断面図。
【図１３】本発明の照明式表示装置の実施形態の他の一例（部材内蔵式・両面型・散乱板入り）を示す断面図。
【図１４】従来の照明式表示装置を示す断面説明図。
【符号の説明】
【００４３】
１  照明式表示装置用表示体
２  基板
３  標識
４  光反射部
５  図柄
６  文字
７  シート
８  反射材
９  標識板
１１  フレーム
１２  光源（ＬＥＤ）
１６  散乱板（プリズム板）
１７  投射空間
１８  細長基板
１９  光源モジュール
２６  支持脚
２７  裏板
２８  反射材
２９  光反射面
【図１】
2008139511.tif 000003
【図２】
2008139511.tif 000004
【図３】
2008139511.tif 000005
【図４】
2008139511.tif 000006
【図５】
2008139511.tif 000007
【図６】
2008139511.tif 000008
【図７】
2008139511.tif 000009
【図８】
2008139511.tif 000010
【図９】
2008139511.tif 000011
【図１０】
2008139511.tif 000012
【図１１】
2008139511.tif 000013
【図１２】
2008139511.tif 000014
【図１３】
2008139511.tif 000015
【図１４】
2008139511.tif 000016